(57)【要約】      （修正有）【課題】病気や怪我で一時的に歩行に障害を持つ人が、自立歩行の訓練で、転倒などの不安を除外し安心して使える一体型歩行訓練器具を提供する。【解決手段】前左側パイプフレーム１０Ｌ及び前右側パイプフレーム１０Ｒが回動シャフト１００によって連結されるとともに、後側パイプフレームが後左側パイプフレーム１１Ｌと後右側パイプフレーム１１Ｒから構成される。前後のパイプフレームは、左右下側で第一のパイプフレーム１２により結合され、上側で第２のパイプフレーム２００により連結される。更に、第２のパイプフレームの前方に回動パイプフレーム３００を備える。【選択図】図１
0003198227.tif 000002
【実用新案登録請求の範囲】
【請求項１】
前側と後ろ側に接地足を有するパイプフレーム本体が左右に構成されており、これらを回動するジョイントで連結され左右交互に動かし前進が可能な構造であり、パイプフレーム上部に差し込まれた多数の孔を設けたシャフトが差し込まれピンロックにより脇当ての高さを調整できる機構を備えたことを特徴とする脇当て一体型歩行訓練器具。
【請求項２】
パイプフレームにピンロック用の孔を有し、差し込まれた多数の孔を設けたシャフトにピンロックを差し込む為のホルダーをセットスクリューなどで保持しピンロックを固定する機構を設けた脇当て一体型歩行訓練器具。
【請求項３】
パイプフレームの前側と後ろ側の接地位置がフレームの回動軸に対し、外側になるように前後のフレームを連結したことを特徴とした脇当て一体型歩行訓練器具。
【考案の詳細な説明】
【技術分野】
【０００１】  本考案は、パイプフレームからなる左右の支持杖を連結し自力歩行する上で、安定した  歩行を支援する歩行訓練器具に関する。
【背景技術】
【０００２】病気・けがなどで一時的に歩行に支障があり介護者のサポートを必要とするような弱力者が、松葉杖や歩行車等の歩行器具を用いて自力歩行訓練を行なう時がある。
しかし、上記のような従来の歩行訓練器具は、例えば松葉杖では、杖の接地位置によっては、大きく身体の重心バランスを崩し、或いは杖自体が滑って転倒の危険性を含んでいた。
又、４輪を有する歩行車などでは、自身の重さを前方向に掛けすぎると、自らの意思に反して、勝手に走行してしまい同じく転倒の危険を持っている。車輪ではなく、接地タイプの歩行器もあるが腕だけで支えるもので上半身の安定間が不足しぐらつきや転倒の危険を含んでいる。
これらの、歩行時に発生する不安定な状態を改善する必要性があった。
【考案の概要】
・２本の接地足を有するパイプでできた左右のフレームを接合させ左右交互に押し出ながら前方に移動できる脇当て一体型歩行訓練器具
【考案が解決しようとしている課題】
【０００３】・歩行困難者が、ぐらつきや転倒に対し安心感を持って歩行訓練器具を使用できるようにすることで機能回復に貢献すると共に訓練中の事故を予防する。
【課題を解決するための手段】
【０００４】前側と後側に各１箇所設けた接地足を有するパイプフレームが左右にあり、この２つのフレームを、回動する軸を介して結合させた構造で、接地足が構造体中心部から左右斜め前方  及び  左右斜め後方に接地するような構造にし、且つ  フレームと一体なった高さの可変ができる脇当てを設け、使用者の高さに合わせてしっかり支える構成である。
【考案の効果】
【０００５】・前方向は、もちろん後方向にも転倒にくくまた、左右横方向にも倒れにくい構成になっており、使用する際の不安感を取り除くことができる。
・自らの力により歩行器を動かすことで、特に上半身の筋力の強化になり体力の回復  維持に役立つ。
【図面の簡単な説明】
【０００６】
【図１】実施の形態の脇当て一体型歩行訓練器具の全体図である。
【図２】脇当て一体型歩行訓練器具の第一連結部の分解図である。
【図３】脇当て一体型歩行訓練器具の脇当て部及び、ハンドル部の分解図である。
【図４】脇当て一体型歩行訓練器具の第二連結部の分解図である。
【考案を実施するための形態】
【０００７】まず、実施の形態における脇当て一体型歩行訓練器具１の全体的な構成について説明する。図１は、脇当て一体型歩行訓練器具の実施形態を構成する全体図である。前側パイプフレームは、前左側パイプフレーム１０Ｌ及び前右側パイプフレーム１０Ｒから構成され回動シャフト１００によって連結される。一方後側パイプフレームは前側パイプフレーム同様、後左側パイプフレーム１１Ｌと後右側パイプフレーム１１Ｒから構成される。前後のパイプフレームは、左右のパイプフレーム共に、下側に第一のパイプフレーム１２で結合される。又、上側で前側パイプフレームと後側パイプフレームが第２のパイプフレーム２００で連結される構成である。  更に、第２のパイプフレーム前方に回動パイプフレーム３００が設けている。
【０００８】前述の回動シャフト１００の分解図を、図２に示す。前左側パイプフレーム１０Ｌに下側ストッパー１０１を上部から差込み固定ネジ１０２で固定される。
又、回転を滑らかに行う為、樹脂等で出来た下側カラー１０３を下側ストッパー１０１の上になるように前左側パイプフレーム１０Ｌに差し込む。次に回転軸と成るジョイント１０４も同様に差し込む。ジョイント１０４は、右側にも回転軸を有し左右の回転軸は、横パイプフレーム１０７により強固に連結されている。ジョイント１０４の上には、下側の構造と同じように上側カラー１０５と上側ストッパー１０６が差し込まれスクリュー１０２で固定される。
前右側パイプフレーム１０Ｒにも同様の組み立てを行い前左側パイプフレーム１０Ｌと前右側パイプフレーム１０Ｒは、ジョイント１０４にて連結される構造になる。
【０００９】前述の第２のパイプフレーム２００の分解図を図３に示す。前左側パイプフレーム１０Ｌに取付けた回動シャフト１００の上部にＴ字管２０１が前左側パイプフレーム１０Ｌを通してスクリュー２０２で固定される。その上部には、ロックベース２０３が同じくネジで固定される。ロックベース２０３には、プランジャー２０４が取付けられている。
前左側パイプフレーム１０Ｌの上端には、等間隔に穴の開いた高さ調整シャフト２０５が差し込まれ、高さ調整シャフト２０５のうえに  Ｔ字管２０１が構成される。
下側のＴ字管２０１には、ハンドル２１０が差し込まれスクリュー２０２で固定される。
ハンドル２１０は、ハンドルパイプ２１１とハンドルスポンジで構成される。
上側のＴ字管には、脇当てフレーム２１３が差し込まれスクリュー２０２で固定される。
脇当てフレーム２１３は、脇当てパイプ２１４と脇当てスポンジから構成される。
同様の組み合わせを後左側パイプフレーム１１Ｌでも実施しハンドル２１０と脇当てフレーム２１３をスクリュー２０２で固定し前後のパイプフレームを連結する。
この構造でハンドル２１０は、スクリュー２０２を緩めることで高さ調整が可能で、脇当てパイプ２１３もプランジャー２０４を引いて高さ調整シャフト２０５の位置を調整することが可能である。
【０００１０】前述の回動パイプフレーム３００の分解図を図４に示す。第２のパイプフレーム２００の先端部にブロックＡ  ３０１が差し込まれ又、下部にブロックＢ  ３０２を設ける  ブロックＢ３０２には、回動パイプ３０３が差し込まれ、ブロックＡ  ３０１、第２のパイプフレーム２００の先端部、ブロックＢ  ３０２、回動パイプ３０３を段付スクリュー３０４で通し一体化させる。
第２のパイプフレーム２００のパイプ先端部及び、回動パイプ３０３の先端部には、キャップ３０５で蓋をする。
ブロックＢ  ３０２、回動パイプ３０３は、段付スクリュー３０４を軸に回動が可能である
この構造により第２のパイプフレーム２００は、左右交互に前後のパイプフレームを平行に保つことを可能にする。
【符号の説明】
【０００１１】１      脇当て一体型歩行訓練器具
１０Ｌ  前左側パイプフレーム
１０Ｒ  前右側パイプフレーム
１１Ｌ  後左側パイプフレーム
１１Ｒ  後右側パイプフレーム
１２    第一のパイプフレーム
１００  回動シャフト
１０１  下側ストッパー
１０２  スクリュー
１０３  下側カラー
１０４  ジョイント
１０５  上側カラー
１０６  上側ストッパー
１０７  横パイプフレーム
２００  第２のパイプフレーム
２０１  Ｔ字管
２０２  スクリュー
２０３  ロックベース
２０４  プランジャー
２０５  高さ調整シャフト
２１０  ハンドル
２１１  ハンドルパイプ
２１２  ハンドルスポンジ
２１３  脇当て
２１４  脇当てパイプ
２１５  脇当てスポンジ
３００  回動パイプフレーム
３０１  ブロックＡ
３０２  ブロックＢ
３０３  回動パイプ
３０４  段付スクリュー
３０５  キャップ
【図１】
0003198227.tif 000003
【図２】
0003198227.tif 000004
【図３】
0003198227.tif 000005
【図４】
0003198227.tif 000006
【手続補正書】
【提出日】平成27年3月11日(2015.3.11)
【手続補正１】
【補正対象書類名】実用新案登録請求の範囲
【補正対象項目名】全文
【補正方法】変更
【補正の内容】
【実用新案登録請求の範囲】
【請求項１】
前側と後ろ側に接地足を有するパイプフレーム本体が左右に構成されており、これらを回動するジョイントで連結され左右交互に動かし前進が可能な脇当て一体型歩行訓練器具。
【請求項２】
パイプフレームにピンロック用の孔を有し、差し込まれた多数の孔を設けたシャフトにピンロックを差し込む為のホルダーをねじで保持しピンロックを固定する機構を設け高さを調整できることを特徴とする請求項１記載の脇当て一体型歩行訓練器具。
【請求項３】
パイプフレームの前側と後ろ側の接地位置がフレームの回動軸に対し、外側になるように前後のフレームを連結したことを特徴とした請求項１記載の脇当て一体型歩行訓練器具。